(57)【要約】【課題】データ収集エリアにてデータの集中管理を行うと共に、ユーザニーズを考慮した汎用的な情報への編集を行うこと。【解決手段】データ収集エリア１２に送受信装置３１と収集装置３２とを備え、プラントまたは電力系統に関する時刻付プロセス計測データｃを通信ネットワーク４１を介して送受信装置３１から受信して処理し、処理されたデータｄを送受信装置３１から配信するデータ配信装置であって、データ収集エリア１２に、時刻付プロセス計測データｃに解析を施す解析装置３３と、解析装置３３の解析結果からプラントまたは電力系統の設備機器２０の運転状態を診断する診断処理装置３４とを有する。【選択図】  図１
2004258805.tif 000002
【特許請求の範囲】
【請求項１】
データ収集エリアに送受信装置と収集装置とを備え、プラントまたは電力系統に関するプロセスデータを通信ネットワークを介して前記送受信装置から受信して処理し、処理された前記プロセスデータを前記送受信装置から配信するデータ配信装置であって、
前記データ収集エリアに、
前記プロセスデータに解析を施す解析装置と、
前記解析装置の解析結果からプラントまたは電力系統の設備機器の運転状態を診断する診断処理装置とを有することを特徴とするデータ計測・配信装置。
【請求項２】
データ収集エリアに送受信装置と収集装置とを備え、プラントまたは電力系統に関するプロセスデータを通信ネットワークを介して前記送受信装置から受信して処理し、処理された前記プロセスデータを前記送受信装置から配信するデータ配信装置であって、
前記収集装置に、
ＩＤ情報毎の各フォルダを作製する機能と、
受信された複数のデータ収集エリアに対応する複数のプロセスデータに、データ収集エリア毎のＩＤ情報を付与させる機能と、
前記ＩＤ情報毎の各フォルダに、ＩＤ情報を付与されたプロセスデータを分別して収集・保存する機能とを有することを特徴とするデータ計測・配信装置。
【請求項３】
データ計測エリアのプラントまたは電力系統に関するプロセスデータを計測する計測装置と、計測された前記プロセスデータを送信する送受信装置とを備え、前記送受信装置から通信ネットワークを介して前記プロセスデータを送信するデータ計測装置であって、
前記送受信装置に記憶媒体としての補助記憶装置を接続させることを特徴とするデータ計測・配信装置。
【請求項４】
前記データ計測エリアの送受信装置と補助記憶装置とをＩＰネットワーク方式にて接続させることを特徴とする請求項３記載のデータ計測・配信装置。
【請求項５】
前記データ計測エリアの送受信装置がモバイル装置であることを特徴とする請求項３記載のデータ計測・配信装置。
【請求項６】
前記計測装置にＧＰＳ受信装置を接続させ、前記ＧＰＳ受信装置にＧＰＳアンテナを具備させ、計測されたプラントまたは電力系統に関するプロセスデータに絶対時刻を付加させたことを特徴とする請求項３記載のデータ計測・配信装置。
【請求項７】
プラントまたは電力系統に関するプロセスデータを通信ネットワークを介して受信して、前記プロセスデータを汎用的なデータに変換して所要のユーザに配信するデータ配信方法であって、
前記データ収集エリアにて、
前記プロセスデータを受信する工程と、
前記プロセスデータに解析を施す工程と、
解析結果から得られた前記プロセスデータを診断処理して、汎用的なデータを得る工程と、
得られた汎用的なデータを通信ネットワークを介して外部に配信する工程とを有することを特徴とするデータ計測・配信方法。
【請求項８】
前記データ収集エリアにて受信されるプラントに関する前記プロセスデータにＩＤ情報を付与し、前記ＩＤ情報毎のフォルダを収集装置にて作製することを特徴とする請求項７記載のデータ計測・配信方法。
【請求項９】
前記データ収集エリアにて、複数の前記データ計測エリアから対応する複数のプラントに関するプロセスデータを受信し、受信された複数のプロセスデータの相互関係を解析し、プラントまたは電力系統の状態を診断することを特徴とする請求項７記載のデータ計測・配信方法。
【請求項１０】
プラントに関するプロセスデータを計測して、前記プロセスデータをデータ計測エリアから通信ネットワークを介して送信するデータ計測方法であって、
前記データ計測エリアにて、
前記設備機器に関するプロセスデータを計測する工程と、
計測されたプロセスデータをサンプリング・符号化する工程と、
符号化されたプロセスデータに時刻を付加する工程と、
時刻を付加されたプロセスデータを保存する工程と、
時刻を付加されたプロセスデータを通信ネットワークを介して送信する工程とを有することを特徴とするデータ計測・配信方法。
【発明の詳細な説明】
【０００１】
【発明の属する技術分野】
本発明は、発電プラント、電力系統（変電所を含む）または一般産業プラントを管理するプロセスデータのデータ計測管理技術に係り、特に、プロセスデータを集中管理すると共に、管理されたプロセスデータを汎用的なデータに変換して配信するデータ計測・配信装置およびその方法に関する。
【０００２】
【従来の技術】
電力系統は、大規模電源の遠隔地化、分散電源の参入、電力託送の開始などにより、電力系統のシステム構成は年々複雑化している。また、電力を消費する需要家は、コンピュータやロボットの普及に伴い、高品質の電力の安定供給や安価な電気料金を求める要望が強く、さらに、これらの要望も多種多様化することが予想される。
【０００３】
電力系統の目的は、電力ロスなく効率的に安価で高品質な電力の安定供給を実施することにあるが、複雑化し、ニーズも多様化する電力系統を効率よく運用・利用するためには、刻々と変動する電力系統の状態を通信ネットワーク上で正確に把握できることが望まれる。
【０００４】
まず、電力系統に接続される発電プラントの電力用機器・設備から、電圧・電流、その他の情報を容易に計測するために、複数の発電プラントの電力用機器・設備に関する各種プロセスデータをリアルタイムに計測する。例えば、発電プラントを構成する設備および部位毎にセンサが備えられ、各センサからのセンサ信号をプロセスデータとして計測する。そして、各種プロセスデータはデータサーバによって保存される。
【０００５】
さらに、データサーバ外部からデータサーバへアクセスし、データサーバに蓄積された各種プロセスデータを定期的に収集し、収集されたプロセスデータを基に詳細な解析および設備機器の診断処理を行う。
【０００６】
ところで、データサーバへのアクセスは、原則として、プロセスデータの計測を行ったデータ計測サイト内部、すなわち、データ計測エリアからのみ可能であり、データ計測サイト外部からのアクセスはできない。
【０００７】
よって、プラントや電力系統（変電所を含む）のプロセスデータの解析および設備機器の診断のサービスを行うメーカ側は、データ計測サイトにメーカ側の担当者を派遣して、データ計測サイト内部の装置にてデータサーバへアクセスし、プロセスデータの解析を行って設備機器の診断処理を行うことになる。または、メーカ側の担当者がデータ計測サイト内部の装置にてデータサーバへアクセスし、プロセスデータを記憶媒体に保存して、記憶媒体を各データ計測サイト外部の装置にて読取り、プロセスデータの解析および設備機器の診断処理を行うことになる。
【０００８】
そして、メーカ側による定期的な解析および設備機器の診断処理の結果、発電プラントの運転状態が把握され、発電プラントの最適かつ必要最小限のメンテナンスプログラムが提案される。すなわち、電力系統に接続される発電プラント毎の環境要因のトラブル予測、長期安定稼動等をも可能とする。
【０００９】
しかし、メーカ側がデータ計測サイトのプロセスデータの解析および設備機器の診断処理等のサービスを行うためには、メーカ側の担当者の移動コストおよびサービスに要する時間が課題となる。
【００１０】
さらに、複数のデータ計測サイトに対応する複数のプロセスデータの解析および設備機器の診断処理等のサービスを行うためには、メーカ側の担当者は、担当する各データ計測サイトそれぞれに出向く必要がある。
【００１１】
そこで、データ計測サイトにて計測されたプロセスデータをメーカ等の保管管理者側（データセンタ）に送信可能とし、複数のデータ計測サイトから送信されたプロセスデータを収集して保管管理者側で随時保存することにより、メーカ側またはメーカ側以外の保管管理者によるプロセスデータのリアルタイムな解析および設備機器の診断処理等のサービス提供を実現可能とするデータサーバ、情報処理システムと方法、記憶媒体、設備関連サービス提供方法、およびプロセスデータ管理方法がある（例えば、特許文献１参照）。
【００１２】
【特許文献１】
特開２００２−２４４２３号公報（第１１頁−第１２頁、第１図）
【００１３】
【発明が解決しようとする課題】
発電プラントや石油化学、鉄鋼等の一般産業プラントに関するデータの計測では、プラントを構成する設備機器のアナログデータを符号化する際の標本化周波数は、数万Ｈｚになる場合も多い。
【００１４】
また、プラントを構成する設備機器の計測装置には、設備機器に関するリアルタイムなプロセスデータの計測部と、計測されたプロセスデータの記憶部とを有しているが、記憶部に付随して設置される冷却ファンの大容量化ができない場合がある。
【００１５】
よって、特許文献１の特開２００２−２４４２３号公報に開示されたプロセスデータ管理方法を利用して、計測されたプロセスデータを記憶部の容量に制約のある計測装置に保存することになり、データの記憶部としては容量不足になる。さらに、通信ネットワークの過負荷時等の通信困難な状況において、記憶部は、時系列に蓄積されるプロセスデータの記憶媒体としての容量としては容量不定であった。
【００１６】
加えて、プロセスデータは、時系列に不規則に受信される膨大なデータ数に対して、記憶部のメモリ管理が困難である。また、計測装置が設置される環境は、振動・異音・腐食等の電気的環境にとって過酷な場所であるので、計測・保存されたプロセスデータを喪失する問題があった。
【００１７】
また、特開２００２−２４４２３号公報によって開示されるプロセスデータ管理方法によると、プロセスデータは、データセンタに収集されるが、例えば、電力系統内のプラントに関するプロセスデータを用いた位相差解析では、複数のプラントに関するデータを対象としてデータの比較解析を行う。
【００１８】
さらに、データセンタにて管理する情報が、プロセスデータの瞬時値のみの場合、ユーザ、例えば、データ計測エリアは、データセンタから瞬時値を受信して、必要に応じてユーザ自身で瞬時値を加工することになり、ユーザが受信するデータが、必ずしもユーザニーズに対応しているとは言えない。
【００１９】
さらに、データ計測エリアからデータ収集エリアへのプロセスデータの送信において、データ計測エリアではデータ収集エリアへの接続情報を管理している。ただし、データ収集エリアの地理的条件の変化によって、データ収集エリアへの接続情報が変化する。よって、データ収集エリアにて管理される接続情報は、データ計測エリアの地理的条件の変化に応じて変更しなければならない。
【００２０】
本発明は上記の課題を解決するためになされたものであり、データ収集エリアにてデータの集中管理を行うと共に、ユーザニーズを考慮した汎用的な情報への編集を行うことができるデータ計測・配信装置およびその方法を提供することを目的とする。
【００２１】
また、本発明の他の目的は、計測装置の設置環境を考慮して環境性と耐久性に優れたデータ記憶媒体を設置することで、リアルタイムデータの効率的な計測管理環境を構築できるデータ計測・配信装置およびその方法を提供することを目的とする。
【００２２】
【課題を解決するための手段】
本発明に係るデータ計測・配信装置は、上述した課題を解決するために請求項１に記載したように、データ収集エリアに送受信装置と収集装置とを備え、プラントまたは電力系統に関するプロセスデータを通信ネットワークを介して前記送受信装置から受信して処理し、処理された前記プロセスデータを前記送受信装置から配信するデータ配信装置であって、前記データ収集エリアに、前記プロセスデータに解析を施す解析装置と、前記解析装置の解析結果からプラントまたは電力系統の設備機器の運転状態を診断する診断処理装置とを有することを特徴とする。
【００２３】
また、本発明のデータ計測・配信装置は、請求項２に記載したように、データ収集エリアに送受信装置と収集装置とを備え、プラントまたは電力系統に関するプロセスデータを通信ネットワークを介して前記送受信装置から受信して処理し、処理された前記プロセスデータを前記送受信装置から配信するデータ配信装置であって、前記収集装置に、ＩＤ情報毎の各フォルダを作製する機能と、受信された複数のデータ収集エリアに対応する複数のプロセスデータに、データ収集エリア毎のＩＤ情報を付与させる機能と、前記ＩＤ情報毎の各フォルダに、ＩＤ情報を付与されたプロセスデータを分別して収集・保存する機能とを有することを特徴とする。
【００２４】
さらに、本発明のデータ計測・配信装置は、請求項３に記載したように、データ計測エリアのプラントまたは電力系統に関するプロセスデータを計測する計測装置と、計測された前記プロセスデータを送信する送受信装置とを備え、前記送受信装置から通信ネットワークを介して前記プロセスデータを送信するデータ計測装置であって、前記送受信装置に記憶媒体としての補助記憶装置を接続させることを特徴とする。
【００２５】
続けて、本発明のデータ計測・配信装置は、請求項４に記載したように、前記データ計測エリアの送受信装置と補助記憶装置とをＩＰネットワーク方式にて接続させることを特徴とする。
【００２６】
また、本発明のデータ計測・配信装置は、請求項５に記載したように、前記データ計測エリアの送受信装置がモバイル装置であることを特徴とする。
【００２７】
さらに、本発明のデータ計測・配信装置は、請求項６に記載したように、前記計測装置にＧＰＳ受信装置を接続させ、前記ＧＰＳ受信装置にＧＰＳアンテナを具備させ、計測されたプラントまたは電力系統に関するプロセスデータに絶対時刻を付加させたことを特徴とする。
【００２８】
続けて、本発明のデータ計測・配信方法は、請求項７に記載したように、プラントまたは電力系統に関するプロセスデータを通信ネットワークを介して受信して、前記プロセスデータを汎用的なデータに変換して所要のユーザに配信するデータ配信方法であって、前記データ収集エリアにて、前記プロセスデータを受信する工程と、前記プロセスデータに解析を施す工程と、解析結果から得られた前記プロセスデータを診断処理して、汎用的なデータを得る工程と、得られた汎用的なデータを通信ネットワークを介して外部に配信する工程とを有することを特徴とする。
【００２９】
また、本発明のデータ計測・配信方法は、請求項８に記載したように、前記データ収集エリアにて受信されるプラントに関する前記プロセスデータにＩＤ情報を付与し、前記ＩＤ情報毎のフォルダを収集装置にて作製することを特徴とする。
【００３０】
さらに、本発明のデータ計測・配信方法は、請求項９に記載したように、前記データ収集エリアにて、複数の前記データ計測エリアから対応する複数のプラントに関するプロセスデータを受信し、受信された複数のプロセスデータの相互関係を解析し、プラントまたは電力系統の状態を診断することを特徴とする。
【００３１】
続けて、本発明のデータ計測・配信方法は、請求項１０に記載したように、プラントに関するプロセスデータを計測して、前記プロセスデータをデータ計測エリアから通信ネットワークを介して送信するデータ計測方法であって、前記データ計測エリアにて、前記設備機器に関するプロセスデータを計測する工程と、計測されたプロセスデータをサンプリング・符号化する工程と、符号化されたプロセスデータに時刻を付加する工程と、時刻を付加されたプロセスデータを保存する工程と、時刻を付加されたプロセスデータを通信ネットワークを介して送信する工程とを有することを特徴とする。
【００３２】
【発明の実施の形態】
本発明に係るデータ計測・配信装置およびその方法の実施の形態について図面を参照して説明する。
【００３３】
図１は、本発明に係るデータ計測・配信装置の第１の実施形態を示す概略図である。
【００３４】
図１は、発電プラント、電力系統（変電所を含む）、または一般産業プラントを構成する設備機器の運用情報であるリアルタイムデータのデータ計測・配信装置１を示し、例えば、電力系統に接続される発電プラントに関するデータ計測・配信装置１を示す。
【００３５】
データ計測・配信装置１は、データ計測エリア１１とデータ収集エリア１２とをそれぞれ有する。データ計測エリア１１は、計測対象エリアを示す一方、データ収集エリア１２は、データ計測エリア１１の設置位置とは別の位置に設置され、例えば、データ計測エリア１１で計測されたプロセスデータを収集して管理するメーカ管轄のデータセンタ等に当たる。
【００３６】
加えて、データ計測エリア１１には、プラントや電力系統の設備機器２０と、この設備機器２０やその近傍に設置され、計測端末を備える計測装置２１と、計測装置２１で計測されたプラントや電力系統に関するプロセス計測データを外部に送信可能とする送信端末を備える送受信装置２２と、補助記憶装置２３とがそれぞれ具備され、計測装置２１には、計測端末を備える計測部２４と、計測部２４で計測されたプロセス計測データに精密なＧＰＳ時刻（絶対時刻）を付加する時刻付加部２５と、絶対時刻が付加された時刻付プロセス計測データを一次保存するメモリとしての記憶部２６とをそれぞれ有する。
【００３７】
計測装置２１に備えられる計測部２４は、電力系統内の設備機器２０の各部に取り付けられるセンサ（図示しない）からの電圧・電流の瞬時値（アナログプロセスデータ）をリアルタイムに計測する。
【００３８】
計測装置２１に備えられる時刻付加部２５には、ＧＰＳ（Ｇｌｏｂａｌ  Ｐｏｓｉｔｉｏｎｉｎｇ  Ｓｙｓｔｅｍ）受信装置２７が接続され、このＧＰＳ受信装置２７は、ＧＰＳアンテナ２８を有する。電力系統は、地理的に大きな広がりを持ち、発生する個々の事象は時間的な因果関係をもつ場合がある。よって、電力系統の状態の情報を取り扱う場合に、ＧＰＳ受信装置２７およびＧＰＳアンテナ２８により取得した絶対時刻（ＧＰＳ時刻）を、時刻付加部２５においてプラント計測データｂに付加することによって時刻同期システムを構築できる。
【００３９】
なお、ＧＰＳ受信装置２７およびＧＰＳアンテナ２８を利用して、時刻付加部２５で容易に時刻同期システムの構築が行えるように、計測装置２１に、ＧＰＳ衛星（図示しない）の時刻情報を配信する時刻ユニットＴＭＵとのインターフェースおよび同期処理用ソフトウェアを装備してもよい。
【００４０】
計測装置２１に備えられる記憶部２６は、電力系統内の機器設備等の時刻付プロセス計測データの収集・保存を定期的に行う。
【００４１】
また、補助記憶装置２３は、計測装置２１に備えられる記憶部２６の補助記憶部としての役割を果たす。プロセスデータの収集・保存を行う記憶部２６は容量制限があると共に、計測装置２１が機器設備２０の近傍に設置され、振動、異音、漏洩、腐食等の電気的環境にとって過酷な設置環境条件となるため、不具合によるデータ喪失が発生することを予測したものである。
【００４２】
一方、図１に示されたデータ計測・配信装置１のデータ収集エリア１２には、送受信装置３１と収集装置３２と、解析装置３３と、診断処理装置３４とが具備される。
【００４３】
また、データ計測エリア１１に備えられる送受信装置２２と、データ収集エリア１２に備えられる送受信装置３１とを通信ネットワーク４１を介して接続させる。通信ネットワーク４１として、例えば、電話回線、ＬＡＮ、携帯電話網等がある。
【００４４】
図２は、データ計測・配信装置１の動作を示すフローチャートである。
【００４５】
まず、電力系統内の設備機器２０の各部に取り付けられるセンサ（図示しない）によって電圧・電流等に関するプロセスデータａを取得し、計測装置２１に備えられる計測部２４によって、プロセスデータａをサンプリング・符号化させプロセス計測データｂとする。（ステップＳ１）。
【００４６】
続いて、計測装置２１に備えられる時刻付加部２５にて、ＧＰＳ受信装置２７およびＧＰＳアンテナ２８によって取得したＧＰＳ時刻（絶対時刻）がプロセス計測データｂに付加される。この時刻付プロセス計測データｃは、計測装置２１内部の記憶部２６に保存される（ステップＳ２）。
【００４７】
さらに、計測装置２１内部の記憶部２６に保存された時刻付プロセス計測データｃを送受信装置２２に伝送させ、補助記憶装置２３において時刻付プロセス計測データｃを保存させるための空き容量が充分であるか否かを判断させる（ステップＳ３）。ステップＳ３においてＹｅｓのとき、すなわち、補助記憶装置２３の空き容量が充分であると判断できるとき、補助記憶装置２３に時刻付プロセス計測データｃを一時保存する（ステップＳ４）。
【００４８】
一方、ステップＳ３においてＮｏのとき、すなわち、補助記憶装置２３の空き容量が充分でないと判断できるとき、補助記憶装置２３に一次保存された時系列に複数の時刻付プロセス計測データｃの内、時間的に最も古い時刻付プロセス計測データｃをクリアする（ステップＳ５）。そして、補助記憶装置２３に時刻付プロセス計測データｃを一時保存する（ステップＳ４）。
【００４９】
続いて、時刻付プロセス計測データｃを送受信装置２２から通信ネットワーク４１に送信させる。（ステップＳ６）。
【００５０】
そして、通信ネットワーク４１からの時刻付プロセス計測データｃを、データ収集エリア１２に備える送受信装置３１にて受信させる（ステップＳ７）。
【００５１】
続いて、時刻付プロセス計測データｃは送受信装置３１から収集装置３２に伝送され、収集装置３２にて収集・保存される。（ステップＳ８）。一方、データ計測エリア１１においては、次のタイミングのプロセスデータａを取得するステップＳ１の工程に戻り、ステップＳ１〜ステップＳ３が反復して繰返される。
【００５２】
さらに、ステップＳ８において、収集装置３２にて収集・保存された時刻付プロセス計測データｃを必要に応じて解析装置３３にダウンロードし、解析装置３３を使用してデータ収集・保存とはオフラインにて、時刻付プロセス計測データｃの解析を行う（ステップＳ９）。
【００５３】
さらに、ステップＳ９の解析結果から、診断処理装置３４にて、電力系統内の設備機器２０に関する診断処理を行う（ステップＳ１０）。
【００５４】
そして、ユーザ、例えば、データ計測エリア１１からの要求によって、時刻付プロセス計測データｃ、および瞬時値から解析および設備機器の診断処理を行った結果であるデータｄを通信ネットワーク４１を介してユーザ側の、例えば、送受信装置２２に配信する（ステップＳ１１）。
【００５５】
診断処理結果のデータｄは、符号化・記号化されて配信されるが、一般ユーザ側で簡単かつ容易に識別できる汎用的な情報として編集可能なデータである。
【００５６】
なお、図１に示されたデータ計測・配信装置１において、ローカル回線によって接続される補助記憶装置２３と送受信装置２２とをＩＰ（Ｉｎｔｅｒｎｅｔ  Ｐｒｏｔｏｃｏｌ）ネットワーク方式にて接続してもよい。ＩＰネットワークにて接続した場合、パケット配信によって、送受信装置２２から補助記憶装置２３への送信が一定容量かつ一定周期の送信となるので、補助記憶装置２３の空き容量の時系列管理が容易になる。
【００５７】
さらに、図１に示されたデータ計測・配信装置１において、データ収集エリア１２の解析装置３３および診断処理装置３４にて行った解析および設備機器の診断処理結果のデータｄをユーザに提供できるように、データ収集エリア１２への所要の接続ＩＤをユーザに付与する。接続ＩＤを付与されたユーザは、データ収集エリア１２をＡＳＰ（ａｐｐｌｉｃａｔｉｏｎ  Ｓｅｒｖｉｃｅ  Ｐｒｏｖｉｄｅｒ）として利用して、データｄを通信ネットワーク４１を介して利用できる。
【００５８】
加えて、図１に示されたデータ計測・配信装置１において、送受信装置２２としてモバイル装置を利用する。例えば、モバイル装置として携帯電話を利用して、携帯電話網によって、モバイル装置からの時刻付プラント計測データｃの送信を行う。すなわち、データ計測エリア１１の設置位置が変化しても、携帯電話への接続方法（接続番号）は不変であるため、データ計測エリア１１の地理的条件の変化による接続方法の変更を行うことなくアクセス可能となる。
【００５９】
また、図２に示されたフローチャートのステップＳ９，１０において、解析および診断処理をデータ収集・保存とはオフラインにて行っているが、オフラインに限定するものではなく、オンラインで行ってもよい。
【００６０】
図１に示されたデータ計測・配信装置１において、図２に示されたフローチャートを用いると、ユーザニーズを考慮した汎用的な情報への編集を行うことができる。
【００６１】
また、図１に示されたデータ計測・配信装置１において、図２に示されたフローチャートを用いると、計測装置の設置環境を考慮して、環境性と耐久性に優れたデータ記憶媒体を設置することで、リアルタイムデータの効率的な計測管理環境を構築できる。
【００６２】
図３は、本発明に係るデータ計測・配信装置の第２の実施形態を示す概略図である。
【００６３】
図３に示されたデータ計測・配信装置１Ａは、データ計測エリア１１が複数存在する場合を示し、データ計測・配信装置１Ａは、各データ計測エリア１１ｘ，１１ｙ，１１ｚと、データ収集エリア１２とから構成される。さらに、各データ計測エリア１１ｘ，１１ｙ，１１ｚは、通信ネットワーク４１を介してデータ収集エリア１２と通信可能とする。
【００６４】
なお、図３に示されたデータ計測・配信装置１Ａの内、図１に示されたデータ計測・配信装置１と同一の構成要素には同一符号を付して重複した説明を省略する。
【００６５】
また、図３に示されたデータ計測・配信装置１Ａでは、データ計測エリア１１として、３箇所のデータ計測エリア１１ｘ，１１ｙ，１１ｚが図示されているが、特に３箇所に限定されるものではない。
【００６６】
続いて、データ計測・配信装置１Ａの動作について説明する。
【００６７】
図３に示されたデータ計測・配信装置１Ａは、図１に示されたデータ計測・配信装置１と同一の動作により、データ計測エリア１１ｘ，１１ｙ，１１ｚのそれぞれに関して、センサ（図示しない）からの電力系統内の設備機器２０ｘ，２０ｙ，２０ｚに関するプロセスデータａを計測装置２１ｘ，２１ｙ，２１ｚにてプロセス計測データｂに符号化し、ＧＰＳ時刻（絶対時刻）の付加を行う。さらに、計測装置２１ｘ，２１ｙ，２１ｚ内部の記憶部２６ｘ，２６ｙ，２６ｚおよび補助記憶装置２３ｘ，２３ｙ，２３ｚにそれぞれ保存する。
【００６８】
続いて、時刻付プロセス計測データｃを送受信装置２２ｘ，２２ｙ，２２ｚから通信ネットワーク４１を介して送信して、データ収集エリア１２に備える送受信装置３１にて受信させる。
【００６９】
さらに、データ計測エリア１１ｘ，１１ｙ，１１ｚのそれぞれから受信された時刻付プロセス計測データｃを送受信装置３１から収集装置３２に伝送して、収集装置３２にて収集・保存させる。
【００７０】
よって、データ収集エリア１２では、データ計測エリア１１ｘ，１１ｙ，１１ｚにてそれぞれ生成されたデータを一元的に管理できる。
【００７１】
加えて、時刻付プロセス計測データｃを解析装置３３にダウンロードし、解析装置３３にて、電力系統内の複数の設備機器２０ｘ，２０ｙ，２０ｚに関して、相対的な比較を実施することで、電力系統の状態の把握が可能となる。
【００７２】
例えば、解析装置３３にて、２点間（例えば、データ計測エリア１１ｘ，１１ｙ）から得られた時刻付プロセス計測データｃ（電圧フェーザ角）をそれぞれ収集装置３２からダウンロードし、位相差の時系列推移を示すグラフを作成する。このグラフから、２点間の位相の動揺を得ることができ、診断処理装置３４にて、電力系統の診断が可能となる。
【００７３】
そして、ユーザ、例えば、データ計測エリア１１からの要求によって、時刻付プロセス計測データｃ、および診断処理結果のデータｄをネットワーク４１を介してユーザ側の送受信装置に配信する。
【００７４】
ここで、データ計測エリア１１が複数の場合、データ収集エリア１２の収集装置３２にて保存される時刻付プロセス計測データｃが、どのデータ計測エリア１１の時刻付プロセス計測データｃであるか不明な場合がある。よって、データ収集エリア１２にて受信される時刻付プロセス計測データｃに、データ計測エリア１１に対応したＩＤ情報を付加することによって、収集装置３２にＩＤ情報毎のフォルダを作製し、時刻付プロセス計測データｃを分別化する。
【００７５】
図３に示されたデータ計測・配信装置１Ａを用いると、データ収集エリアにてデータの集中管理を行うと共に、ユーザニーズを考慮した汎用的な情報への編集を行うことができる。
【００７６】
また、図３に示されたデータ計測・配信装置１Ａを用いると、計測装置の設置環境を考慮して、環境性と耐久性に優れたデータ記憶媒体を設置することで、リアルタイムデータの効率的な計測管理環境を構築できる。
【００７７】
【発明の効果】
本発明に係るデータ計測・配信装置およびその方法によれば、データ収集エリアにてデータの集中管理を行うと共に、ユーザニーズを考慮した汎用的な情報への編集を行うことができる。
【００７８】
また、本発明によれば、計測装置の設置環境を考慮して、環境性と耐久性に優れたデータ記憶媒体を設置することで、リアルタイムデータの効率的な計測管理環境を構築できる。
【図面の簡単な説明】
【図１】本発明に係るデータ計測・配信装置の第１の実施形態を示す概略図。
【図２】本発明に係るデータ計測・配信装置の動作を示すフローチャート。
【図３】本発明に係るデータ計測・配信装置の第２の実施形態を示す概略図。
【符号の説明】
１，１Ａ  データ計測・配信装置
１１，１１ｘ，１１ｙ，１１ｚ  データ計測エリア
１２  データ収集エリア
２１  計測装置
２２  補助記憶装置
２３  送受信装置
３１  送受信装置
３２  収集装置
３３  解析装置
３４  診断処理装置
４１  通信ネットワーク
【図１】
2004258805.tif 000003
【図２】
2004258805.tif 000004
【図３】
2004258805.tif 000005